【事件の表示】
　特願２０１２−１０１９３０「無線通信装置、アクセスポイント、通信方法及びプログラム」拒絶査定不服審判事件〔平成２４年　８月２３日出願公開、特開２０１２−１６１０９５〕について、次のとおり審決する。
【結　論】
　本件審判の請求は、成り立たない。
【理　由】
　
１．手続の経緯
　
　本願は、２００４年６月２日を出願日とする特願２００４−１６３９３１号の一部を２０１０年４月１２日に新たな特許出願とした特願２０１０−０９１０２３号の一部をさらに２０１２年４月２７日に新たな特許出願とした出願であって、平成２４年８月９日付けで拒絶理由が通知され、平成２４年１０月１５日付けで手続補正がなされ、平成２５年３月５日付けで拒絶査定がされ、平成２５年６月１２日に拒絶査定不服審判が請求されたものである。
　
　
２．本願発明
　
　本願の請求項１に係る発明（以下「本願発明」という。）は、平成２４年１０月１５日付手続補正書の特許請求の範囲の請求項１に記載された事項により特定される、以下のとおりのものと認める。
　
「ユーザが接続することを決めたアクセスポイントに接続するための接続設定情報を装置外部から取得するための手段と、
　取得した前記接続設定情報を設定するための手段と、
　アクセスポイントを検出するための手段と、
　設定した前記接続設定情報に基づいて、アクセスポイントと通信するための手段と、
　を備えることを特徴とする無線通信装置。」
　
　
３．引用例
　
　原査定の拒絶の理由に引用された、本願のもとのもとの特許出願の出願日前である平成１５年７月１８日に公開された特開２００３−２０４３３５号公報（以下「引用例１」という）には、次の事項が記載されている。
　
「【０００１】
【発明の属する技術分野】本発明は、パーソナルコンピュータを無線LANを用いて、接続対象のネットワークに接続する際に設定すべきパラメータをパーソナルコンピュータに設定するシステムに関する。」
　
「【００１５】後に詳しく述べるように、本発明によるパラメータ設定回路は、パーソナルコンピュータ、特に、Windows（登録商標）のオペレーション・システムで動作するノート型パーソナルコンピュータを、無線LANを使用し、アクセスポイントを設置した接続対象のネットワークに接続して使用する場合に用いられる。特に、本発明は、場所を移動して別のネットワークへ接続することを容易にするという無線LAN特有の性質を生かして、ネットワーク環境が異なる複数の使用場所にアクセスポイントを設置したネットワークが複数あり、パーソナルコンピュータの接続先のネットワークを変更して使用する場合、無線LAN設定やネットワーク接続設定、ブラウザ（インターネット閲覧ツール）接続設定を自動に行えるようにしたものである。
【００１６】本発明は、接続するネットワーク毎に各設定（TCP/IP設定、無線LAN設定、ブラウザ設定）のパラメータをネットワーク接続情報ファイルとして記憶しておき、接続場所でパーソナルコンピュータの無線LANが、アクセスポイントから発信するビーコン(beacon)からSSID(Service Set IDentification)コードを検索し、検索したSSIDコードが記憶されたネットワーク接続情報ファイルにある場合にネットワーク接続情報ファイルの内容をパーソナルコンピュータのレジストリに設定値として書き込むことを行い、ネットワーク接続に必要なネットワーク接続情報の設定を行う。」
　
「【００２７】図１に戻って、パーソナルコンピュータ１２（図２）に設けられるパラメータ設定回路２０は、無線LANアダプタ２１を含むSSID抽出器１４を有する。このSSID抽出器１４は、無線LANのアクセスポイント３、９、或いは１０から送出されるビーコン１３を、無線LANアダプタ２１を介して受信して、アクセスポイント３、９、或いは１０への接続に必要なパラメータのひとつであるSSIDコード１５を抽出する。パーソナルコンピュータ１２は、更に、第１、第２、及び第３のネットワーク１、７、及び１０（図２）に接続するために必要な第１、第２、及び第３のネットワーク接続情報ファイル１７を有する。パーソナルコンピュータ１２は、加えて、パラメータ検出器１６と、レジストリ１９とを有する。
【００２８】パラメータ検出器１６は、SSIDコード１５と第１乃至第３のネットワーク接続情報ファイル１７とから、受信したビーコン１３を発したネットワークに接続するためのパラメータを検出し、検出したパラメータをネットワーク設定パラメータ１８としてレジストリ１９に書き込む。
【００２９】次に図１のパラメータ設定回路２０の動作を図２をも参照して説明する。
【００３０】パラメータ設定回路２０を有するパーソナルコンピュータ１２が第１のネットワーク１に接続しようとしてアクセスポイント３の通信圏内に入った場合、パーソナルコンピュータ１２内のパラメータ設定回路２０のSSID抽出器１４は最初にアクセスポイント３の送出する無線接続に必要なSSIDコード“ａ”を含む信号のビーコン１３を受信し、SSIDコード“ａ”の抽出を行う。SSIDコード“ａ”の抽出が終わりパラメータ検出器１６がSSIDコード１５として“ａ”を受け取ると、SSIDコードの値“ａ”と第１乃至第３のネットワーク接続情報ファイル１７のデータベースの値と比較を行いSSIDコードが一致するデータベースがあった時、ネットワーク接続情報ファイル１７から必要なパラメータの値であるネットワーク設定パラメータ１８を得る。
【００３１】たとえば、第１乃至第３のネットワーク接続情報ファイル１７には、図４に示すようなパラメータ設定値が記憶されている場合で、SSID抽出器１４が抽出した値が“a”という値であったときは、SSIDコードの値が“a”は図４の“ネットワーク１の設定”ということになる。したがって図４の“ネットワーク１の設定”の列（SSIDからプロキシ・サーバまで）の値がネットワーク設定パラメータ１８となる。なお、図４のパラメータRTS/CTSは、“Request To Send/Clear To Send”である。
【００３２】図１及び図２において、ネットワーク設定パラメータ１８の値は、パラメータ検出器１６によって、パーソナルコンピュータ１２のアプリケーションの設定値を保存しているファイルのレジストリ１９の該当項目にすべて書き込まれる。レジストリ１９は書き込むだけではアプリケーションに値を反映しないため、パーソナルコンピュータ１２の再立ち上げが必要となる。このため、レジストリ１９への書き込みが終了するとパーソナルコンピュータ１２の再立ち上げを行う。再立ち上げが完了すると、パーソナルコンピュータ１２はアクセスポイント３への接続とネットワーク１への接続、プロキシ・サーバ２を使用したインターネットへの接続が可能となる。
【００３３】上述した実施例によれば、ネットワークに接続が許可されていて、接続に必要なパラメータ値がネットワーク管理者から提供されているパーソナルコンピュータの使用者は、すべてのネットワークのパラメータ値をあらかじめパーソナルコンピュータに登録しておくことにより、接続場所ごとに多くのパラメータを設定する労力が削減される。
【００３４】また、従来はすべて手動で値を入力していたため誤入力もあったが、本発明の方法ではすべて正確に行われる。」
　
「【００４４】
【発明の効果】以上説明したように、本発明によれば、パーソナルコンピュータを無線LANを用いて接続対象のネットワークに接続する際に必要なパラメータの設定を、自動的に、簡単かつ正確に行うことができる。」
　
　上記によれば、引用例１には、
　
「パーソナルコンピュータを無線LANを用いて、接続対象のネットワークに接続する際に設定すべきパラメータをパーソナルコンピュータに設定するシステムであって、
　接続するネットワーク毎に各設定のパラメータをネットワーク接続情報ファイルとして記憶しておき、接続場所でパーソナルコンピュータの無線LANが、アクセスポイントから発信するビーコンからSSIDコードを検索し、検索したSSIDコードが記憶されたネットワーク接続情報ファイルにある場合にネットワーク接続情報ファイルの内容をパーソナルコンピュータのレジストリに設定値として書き込むことを行い、ネットワーク接続に必要なネットワーク接続情報の設定を行うものであり、
　パーソナルコンピュータ１２に設けられるパラメータ設定回路２０は、
　無線LANのアクセスポイント３、９、或いは１０から送出されるビーコン１３を、無線LANアダプタ２１を介して受信して、アクセスポイント３、９、或いは１０への接続に必要なパラメータのひとつであるSSIDコード１５を抽出するSSID抽出器１４を有し、
　パーソナルコンピュータ１２は、加えて、パラメータ検出器１６と、レジストリ１９とを有し、
　パーソナルコンピュータ１２が第１のネットワーク１に接続しようとしてアクセスポイント３の通信圏内に入った場合、パーソナルコンピュータ１２内のパラメータ設定回路２０のSSID抽出器１４は最初にアクセスポイント３の送出する無線接続に必要なSSIDコードを含む信号のビーコン１３を受信し、SSIDコードの抽出を行い、
　パラメータ検出器１６がSSIDコード１５を受け取ると、SSIDコードの値と第１乃至第３のネットワーク接続情報ファイル１７のデータベースの値と比較を行いSSIDコードが一致するデータベースがあった時、ネットワーク接続情報ファイル１７から必要なパラメータの値であるネットワーク設定パラメータ１８を得、
　ネットワーク設定パラメータ１８の値は、パラメータ検出器１６によって、パーソナルコンピュータ１２のアプリケーションの設定値を保存しているファイルのレジストリ１９の該当項目にすべて書き込まれ、
　レジストリ１９は書き込むだけではアプリケーションに値を反映しないため、パーソナルコンピュータ１２の再立ち上げが必要となるため、パーソナルコンピュータ１２の再立ち上げを行い、再立ち上げが完了すると、パーソナルコンピュータ１２はアクセスポイント３への接続とネットワーク１への接続、プロキシ・サーバ２を使用したインターネットへの接続が可能となることにより、
　ネットワークに接続が許可されていて、接続に必要なパラメータ値がネットワーク管理者から提供されているパーソナルコンピュータの使用者は、すべてのネットワークのパラメータ値をあらかじめパーソナルコンピュータに登録しておくことにより、接続場所ごとに多くのパラメータを設定する労力が削減され、
　パーソナルコンピュータを無線LANを用いて接続対象のネットワークに接続する際に必要なパラメータの設定を、自動的に、簡単かつ正確に行うことができる」発明
　
が記載されている。（以下「引用発明」という）
　
　
４．本願発明と引用発明の対比
　
　引用発明の「パーソナルコンピュータ」は、無線LANを用いて接続対象のネットワークに接続するから、本願発明の「無線通信装置」に相当する。
　
　引用発明の「SSID抽出器１４」は、「無線LANのアクセスポイント３、９、或いは１０から送出されるビーコン１３を、無線LANアダプタ２１を介して受信」する機能を有している。「アクセスポイントから送出されるビーコン」を受信することは、アクセスポイントを検出することに他ならないから、引用発明の「SSID検出器１４」は、本願発明の「アクセスポイントを検出するための手段」を有しているといえる。
　
　引用発明は、「接続に必要なパラメータ値」を、「パーソナルコンピュータに登録」するのであり、「登録」は、パーソナルコンピュータの外部から取得して記憶させることを意味する。よって、引用発明の「パーソナルコンピュータ」は、本願発明の「パラメータ値を外部から取得する手段」を有しているといえる。
　
　引用発明は、ネットワーク設定パラメータの値が書き込まれた後、「アクセスポイント３への接続」を行って「インターネットへの接続が可能」となるから、「アクセスポイントと通信」しているといえるので、本願発明の「アクセスポイントと通信するための手段」を有していることは明らかである。
　
　引用発明の「設定すべきパラメータ」，「ネットワーク設定パラメータ１８」，「接続対象のネットワークに接続する際に必要なパラメータ値」として記載されている「パラメータ」は、いずれもネットワークに接続するための情報であるから、該「パラメータ」と本願発明の「アクセスポイントに接続するための接続設定情報」とは、「接続設定情報」である点で一致する。
　
　したがって、本願発明と引用発明は、
　
「接続設定情報を装置外部から取得するための手段と、
　取得した前記接続設定情報を設定するための手段と、
　アクセスポイントを検出するための手段と、
　設定した前記接続設定情報に基づいて、アクセスポイントと通信するための手段と、
　を備えることを特徴とする無線通信装置。」
　
　で一致し、下記の点で相違する。
　
　相違点
　
　接続設定情報について、本願発明は「ユーザが接続することを決めたアクセスポイントに接続するための接続設定情報」であるのに対し、引用発明は「ネットワークに接続する際に必要なパラメータ値」であって、「ユーザが接続することを決めたアクセスポイント」かどうか記載されていない点。
　
　
５．当審の判断
　
　上記相違点について検討する。
　
　引用発明は、「接続に必要なパラメータ値がネットワーク管理者から提供されているパーソナルコンピュータの使用者は、すべてのネットワークのパラメータ値をあらかじめパーソナルコンピュータに登録しておく」ものである。
　「接続に必要なパラメータ値」が「ネットワーク管理者から提供されている」から、「使用者」が「登録しておく」パラメータは「ネットワーク管理者から提供されている」ものであるが、実際に「登録しておく」作業を行うのは「使用者」であり、「使用者」が「ネットワーク管理者から提供され」た「接続に必要なパラメータ値」を「登録」することは、「使用者」が登録することを「決める」ことに他ならない。そして、引用例において「登録」する内容は「接続設定情報」であるから、「使用者が登録することを決めた」ことは「使用者が接続することを決めた」といえることを示している。
　
　ここで引用発明において、ネットワークに接続する際に、「アクセスポイント」を使用するのであるから、前記「ネットワークのパラメータ」として「アクセスポイントのパラメータ」とすることは当業者が容易に想到し得たことである。
　
　結局、当業者が、引用発明の接続設定情報として、「ユーザが接続することを決めたアクセスポイントのパラメータ」とすることは容易に想到しうることである。
　
　そして、本願発明のように構成したことによる効果も引用発明から予測できる範囲のものである。
　したがって、本願発明は、引用発明に基づいて容易に発明をすることができたものである。
　
　
６．むすび
　
　以上のとおり、本願発明は、引用発明に基づいて、当業者が容易に発明をすることができたものであるから、特許法第２９条第２項の規定により特許を受けることができない。
　よって、結論のとおり審決する。